(57)【特許請求の範囲】
【請求項１】
クリーム状内容物(A) を収納する壜体状の容器本体(1) の口部(6) に、前記内容物(A) を吸い上げて注出する手動ポンプ(10)を装着し、前記容器本体(1) 内に、前記クリーム状内容物(A) 上に載置するリング板状の押え蓋(20)を昇降変位可能に装着した注出容器であって、前記押え蓋(20)を、リング板状とした硬質材製の蓋板(21)と、該蓋板(21)の内周縁に密に組付いて、前記手動ポンプ(10)の吸上げパイプ(13)に緩く外嵌する円筒状の内筒片(23)の内周面下部に、前記吸上げパイプ(13)の外周面に弾力的に密摺接して、空気の下方への通過を防止する内鍔状のシール片(24)を周設した軟質弾性材製のシールリング(22)と、前記内筒片(23)の少なくとも上部に不動に組付く硬質材製のリング状の傾斜防止筒(31)とから構成し、該傾斜防止筒(31)の内径を前記吸上げパイプ(13)の外径よりも僅かに大きい値に設定した注出容器。
【請求項２】
傾斜防止筒(31)を、シールリング(22)の内筒片(23)の内周面に接する傾斜防止筒片(32)と、該傾斜防止筒片(32)の上端に外鍔状に周設したフランジ部(34)と、該フランジ部(34)の外周端から垂下設した、前記シールリング(22)の上部外周面に接する組付片(35)と、から構成した請求項１記載の注出容器。
【請求項３】
傾斜防止筒片(32)を、シールリング(22)の内筒片(23)の内周面下部まで長片状に連設した請求項２記載の注出容器。
【請求項４】
シールリング(22)の内筒片(23)の縦方向中間部から外鍔状のフランジ(26)を周設し、該フランジ(26)の外周端から、前記内筒片(23)との間に弾性変位用の間隙を設けて、蓋板(21)の内周縁が密に組付く弾性筒片(27)を垂下設し、該弾性筒片(27)の下端部から外鍔状に前記蓋板(21)を支持する底板(28)を設け、前記弾性筒片(27)の外周面に、上方から前記蓋板(21)を係止する係止突条(29)を周設した請求項１、２または３記載の注出容器。
【請求項５】
内筒片(23)の上端部に、外鍔状の摘み片(30)を周設した請求項１、２、３または４記載の注出容器。
【請求項６】
傾斜防止筒(31)の組付片(35)の内面下端部に、シールリング(22)の摘み片(30)に下方から係合する係合突条(36)を設けた請求項５記載の注出容器。
【発明の詳細な説明】
【０００１】
【発明の属する技術分野】
本発明は、粘度の比較的高いクリーム状の内容物を、手動ポンプを利用して注出する注出容器に関するものである。
【０００２】
【従来の技術】
クリーム状内容物を、手動ポンプを利用して注出するこの種の注出容器の従来技術として、有底筒状の容器本体に、該容器本体の内底に向けて吸上開口をもつ吸上げパイプを連結したポンプ機構を設け、前記容器本体内に、該吸上げパイプに対して摺動可能に挿通し、内容物の吸い上げにともなって、内容物の液面に密着して吸上げパイプに沿って移動する押え蓋を設けたものが知られている。
【０００３】
この押え蓋は、容器本体内の内容物が、流動性の悪いクリーム状物であるため、その吸い上げに伴って、吸上げパイプの吸上開口が位置する下端から内容物の上面に至る空孔が吸上げパイプの周囲に形成され、その結果、この空孔を通過した空気の混入により、内容物の円滑な注出が阻害されてしまうことを防止するためのものである。押え蓋で、内容物の上面を押えることにより、手動ポンプの内容物の吸い上げに伴う負圧の影響を、内容物全体に均一に作用させ、これにより内容物の吸い上げに伴う負圧が内容物の一部に偏って作用することにより形成される空孔の発生を阻止して、内容物の良好な注出動作を維持する。
【０００４】
また、内容物の粘度が大きい場合には、内容物の吸い上げに伴う、負圧の偏った作用時間が長く、これにより押え蓋自体が変形してしまう恐れがあるので、押え蓋の主体部分を硬質材製とし、吸上げパイプに密接する部分（内周端縁部分）を軟質弾性材製とすることにより、負圧により変形することなく、吸上げパイプに対する密摺動可能な組付きを維持できるようにしている。
【０００５】
特開２０００−２１９２８４号公報には、押え蓋を、リング板状の硬質材製の蓋板と、該蓋板の内周縁に密に組付いて、吸上げパイプに緩く外嵌する円筒状の内筒片の内周面下端に、内鍔状のシール片を周設したポリエステル系エラストマー製のシールリングと、から構成した注出容器が開示されている。
【０００６】
前述の注出容器は、シールリングの内筒片に設けたシール片が、中央側を上昇傾斜させた状態で吸上げパイプの外周面に弾力的に密摺接し、負圧が作用した際の吸上げパイプに対するシール片の圧接を強めて空気の下方への通過を確実に阻止するとともに、シールリングの内筒片に組付いて内容物の上面の略全域を覆っている蓋板が、内容物の吸い上げに伴って不均一に作用する負圧を変形することなく受け止めて、蓋板が略水平姿勢を保持しながら内容物の上面全域を略均一に押圧し、流動性の悪いクリーム状内容物を最後まで円滑かつ確実に注出できるようにしている。
【０００７】
押え蓋が下降変位する際に、負圧の不均一な作用により押え蓋が傾くことがあるが、手動ポンプの吸上げパイプに対向する押え蓋部分は、ポリエステル系エラストマー製のシールリングだけであるので、例え傾いても押え蓋が吸上げパイプに弾性的に押圧されるだけで、カジリ状に引っ掛かることはなく、押え蓋を円滑かつ確実に下降変位することになる。
【０００８】
【発明が解決しようとする課題】
しかしながら、クリーム状内容物を充填した注出容器が、輸送途中等において傾倒状態となった場合、吸上げパイプに密摺接しているシール片のみでは、吸上げパイプに対する押え蓋の傾斜を防止できず、吸上げパイプに対して押え蓋が傾斜して、蓋板と容器本体の内壁との隙間が大きくなり、この隙間から粘度の大きいクリーム状の内容物が蓋板を越えて押え蓋の上部に流動する、と云う問題がある。
【０００９】
内容物が、流動性の悪いクリーム状物であるがゆえに、一度蓋板を越えて押え蓋よりも上部に流動してしまうと、傾倒状態の注出容器を起立させても、内容物が押え蓋の上部に留まったまま下部には戻らず、内容物が押え蓋の上部に残存したまま、内容物を最後まで使い切ることができない、と云う問題がある。
【００１０】
また、蓋板を越えて押え蓋の上部に流動した粘度の高い内容物は、注出容器を起立させても下部に戻らないため、押え蓋と内容物との間に空孔が発生して、押え蓋が傾斜した状態のままとなり、傾斜した押え蓋では、内容物の上面全域を略均一に押圧することができないため、内容物の吸い上げに伴って発生する不均一な負圧が内容物の上面に偏って作用し、流動性の悪い内容物の円滑な注出が阻害される、と云う問題を生じる。
【００１１】
そこで、本発明は、上述の問題点を解消すべく創案されたもので、手動ポンプを有する容器本体内に内容物の押え蓋を設けた注出容器において、軟質弾性材製のシールリングの形状を保持するとともに、押え蓋の傾斜を防止することを技術的課題とし、もって粘度の大きいクリーム状内容物を最後まで円滑かつ確実に注出できる注出容器を提供することを目的とする。
【００１２】
【課題を解決するための手段】
上記技術的課題を解決する本発明の内、請求項１記載の発明の手段は、
クリーム状内容物を収納する壜体状の容器本体の口部に、内容物を吸い上げて注出する手動ポンプを装着し、容器本体内に、クリーム状内容物上に載置するリング板状の押え蓋を昇降変位可能に装着した注出容器であること、
押え蓋を、リング板状をした硬質材製の蓋板と、該蓋板の内周縁に密に組付いて、手動ポンプの吸上げパイプに緩く外嵌する円筒状の内筒片の内周面下部に、吸上げパイプの外周面に弾力的に密摺接して、空気の下方への通過を防止する内鍔状のシール片を周設した軟質弾性材製のシールリングと、シールリングの内筒片の少なくとも上部に不動に組付く硬質材製のリング状の傾斜防止筒とから構成したこと、
該傾斜防止筒の内径を吸上げパイプの外径よりも僅かに大きい値に設定したこと、にある。
【００１３】
請求項１記載の発明にあっては、シールリングの内筒片の少なくとも上部に、硬質材製のリング状の傾斜防止筒を不動に組付けたため、注出容器が傾倒状態となった場合に、吸上げパイプの外径よりも僅かに大きい値に設定した内径を有する傾斜防止筒が吸上げパイプの外周面に当接し、シールリングを支持するため、押え蓋全体の傾斜を防止することができる。
【００１４】
また、内容物の吸い上げに伴う不均一な負圧が、押え蓋に作用した場合であっても、硬質材製の傾斜防止筒が吸上げパイプの外周面に当接して、軟質弾性材である軟質弾性材製のシールリングを支持するため、押え蓋の傾斜を確実に防止することができ、吸上げパイプに対して蓋板の略水平姿勢を維持した押え蓋で、内容物の注出に伴って発生する不均一な負圧を内容物の上面全域に略均一に作用させ、流動性の悪いクリーム状内容物を最後まで円滑かつ確実に、手動ポンプから注出することができる。
【００１５】
請求項２記載の発明の手段は、請求項１記載の発明の構成に加え、傾斜防止筒を、シールリングの内筒片の内周面に接する傾斜防止筒片と、該傾斜防止筒片の上端に周接した外鍔部と、該外鍔部の外周端から垂下設したシールリングの上部外周面に接する組付片とから構成したこと、にある。
【００１６】
請求項２記載の発明にあっては、シールリングの内筒片の内周面に接する傾斜防止筒片と外鍔部とシールリングの上部外周面に内周面が接する組付片とから構成した傾斜防止筒を、軟質弾性材製のシールリングの上部に嵌着して組付けたため、注出容器の傾倒に伴ってシールリングが吸上げパイプ方向に傾倒した際に、最も大きな負荷のかかるシールリングの上部を、硬質材製の傾斜防止筒で保護した状態となり、軟質弾性材製のシールリングの形状変形を防止して、吸上げパイプに対する蓋板の略水平姿勢を安定に維持するとともに、吸上げパイプの外径よりも僅かに大きい値に設定した内径を有する傾斜防止筒片が吸上げパイプの外周面に当接して、シールリングを支持し、押え蓋全体の傾斜を確実に防止する。
【００１７】
請求項３記載の発明の手段は、請求項２記載の発明の構成に加え、傾斜防止筒の傾斜防止筒片を、シールリングの内筒片の内周面下部まで長片状に連設したこと、にある。
【００１８】
請求項３記載の発明にあっては、傾斜防止筒の傾斜防止筒片を、長片状に連設したため、比較的変形しやすい軟質弾性材製のシールリングの内筒片の略全域を硬質材製の長片状の傾斜防止筒片で保護することができ、シールリングの形状変形を防止して、シールリングに内周縁が密に組付く蓋板の吸上げパイプに対する略水平姿勢を安定に維持する。
【００１９】
なお、傾斜防止筒片は、下端をそのままシールリングの内筒片の内周面下端部まで連設した長筒状としてもよく、また、傾斜防止筒片の下端を部分的に内筒片の内周面下端部まで連設した複数の突条状の長片としてもよい。
【００２０】
請求項４記載の発明の手段は、請求項１、２または３記載の発明の構成に加え、
内筒片の縦方向中間部から外鍔状のフランジを周設したこと、該フランジの外周端から、内筒片との間に弾性変位用の間隙を設けて、蓋板の内周縁が密に組付く弾性筒片を垂下設したこと、該弾性筒片の下端部から外鍔状に蓋板を支持する底板を設けたこと、弾性筒片の外周面に、上方から蓋板を係止する係止突条を周設したこと、にある。
【００２１】
請求項４記載の発明にあっては、蓋板が内筒片からフランジを介して、弾性変位用の間隙を設けたシールリングの弾性筒片に密に組付くため、弾性筒片の弾圧性により、蓋板の外周縁が容器本体に近接した状態を維持する。また、容器本体が傾倒状態となって、蓋板の外周縁が容器本体に弾接した場合であっても、容器本体を起立した状態に戻すと、弾性筒片が弾性復帰し、再び、蓋板の外周縁が容器本体に近接した状態を安定に維持する。
【００２２】
請求項５記載の発明の手段は、請求項１、２，３または４記載の発明の構成に加え、内筒片の上端部に、外鍔状の摘み片を周設したこと、にある。
【００２３】
請求項５記載の発明にあっては、内筒片の上端部に外鍔状の摘み片を周設したため、内容物の注出にしたがって、シール片が吸い上げパイプに密摺接した状態で下降変位し、注出容器の底部に密着した押え蓋を、摘み片の把持して、簡単に容器本体の底部から取り外すことができる。
【００２４】
請求項６記載の発明の手段は、請求項６記載の発明の構成に加え、傾斜防止筒の組付片の内面下端部に、シールリングの摘み片に下方から係合する係合突条を周設したこと、にある。
【００２５】
請求項６記載の発明にあっては、傾斜防止筒の組付筒片の内周面下端部に、係合突条を設けたため、傾斜防止筒をシールリングに外嵌して不動に組付けることができ、シールリングの上端に嵌着している傾斜防止筒を把持した場合であっても、傾斜防止筒がシールリングから外れず、一体的に組付いた傾斜防止筒とシールリングと蓋板とを、簡単に容器本体の底部から取り外すことができる。
【００２６】
【発明の実施の形態】
以下、本発明の実施例を、図面を参照しながら説明する。
図１に示すように、容器本体１は、胴部２と底部３とから成る主体部１ａと、この胴部２の上端部外周に螺合する組付き筒４と肩部５と口部６とから成るヘッド部１ｂとから構成されている。
【００２７】
ヘッド部１ｂの口部６には、この口部６の外周に螺合する装着筒７を介して、縦型手動ポンプ１０が装着されており、ポンプ１０上端の押下げヘッド１１を上下動させることにより、下端に連結した吸上げパイプ１３を介してクリーム状内容物Ａを吸い上げ、押下げヘッド１１の注出ノズル１２から注出するようになっている。
【００２８】
押え蓋２０は、硬質材の合成樹脂等から成るリング板状の蓋板２１と、この蓋板２１の内周縁に密に組付けられる軟質弾性材であるポリエステル系エラストマー製のシールリング２２と、シールリング２２の上部に不動に組付けられる、ポリプロピレン樹脂若しくは低密度ポリエチレン樹脂等の硬質材製の傾斜防止筒３１とから構成されている。
【００２９】
図２及び図３は、押え蓋２０の第一の実施例を示し、図２は、押え蓋２０の一部縦断面図、図３は、一部を破断したシールリング２２と傾斜防止筒片３１の斜視図である。
【００３０】
図２及び図３に示すように、シールリング２２は、吸上げパイプ１３に緩く外嵌する円筒状の内筒片２３の内周面下部に、吸上げパイプ１３の外周面に弾力的に密摺接して、空気の下方への通過を防止する内鍔状のシール片２４を突周設している。
【００３１】
シールリング２２の内筒片２３の外周面の縦方向中間部には、外鍔状のフランジ２６を周設し、該フランジ２６の外周端から、内筒片２３との間に弾性変位用の間隙を設けて円筒状の弾性筒片２７を垂下設し、該弾性筒片２７の外周面下端部から外鍔状に底板２８を設け、弾性筒片２８の外周面の上部に、上方から蓋板２１を係止する係止突条２９を周設している。
【００３２】
シールリング２２は、蓋板２１の内周縁が、弾性筒片２７の外周面に密に組付くとともに、底板２８と係止突条２９で蓋板２１を係止し、蓋板２１とシールリング２２との組付き固定を達成している。
【００３３】
蓋板２１が、内筒片２３からフランジ２６を介して弾性変位用の間隙を設けた弾性筒片２７に組付き固定されているため、弾性筒片２７の弾圧性により、蓋板２１の外周縁が、容器本体１の胴部２の内面に近接した状態を維持したまま、押え蓋２０が下降変位する。
【００３４】
また、注出容器１が傾倒状態となった場合に、蓋板２１の外周縁が、容器本体１の胴部２の内面に弾接された場合であっても、注出容器１を起立させると、弾性筒片２７が弾性復帰し、再び、蓋板２１の外周縁が容器本体１の胴部２の内面に近接する良好な状態を確保する。
【００３５】
シールリング２２のシール片２４は、吸上げパイプ１３に弾性変形して密摺接し、中央側を上昇傾斜させた組付き姿勢となるため、内容物Ａの吸い上げに伴い、負圧が作用した際に、吸上げパイプ１３に対するシール片２４の圧接が強まり、これにより吸上げパイプ１３とシール片２４とのシール性が確保されて、負圧による空孔の発生を確実に防止することになる。
【００３６】
なお、中央側を上昇傾斜させたシール片２４の吸上げパイプ１３に対する組付き姿勢は、吸上げパイプ１３に組付いた押え蓋２０が下降変位することにより必然的に得られるものである。
【００３７】
シールリング２２は、押え蓋２０の速やかで正確な下降変位を実現するため、シール片２４のみが吸上げパイプ１３に密摺接し、内筒片２３が吸上げパイプ１３から所定距離離間して、緩く外嵌している。
【００３８】
シールリング２２に嵌着した傾斜防止筒３１は、シールリング２２の内筒片２３の内周面に接する傾斜防止筒片３２と、該傾斜防止筒片３２の上端に周設した外鍔部３３と、該外鍔部３３の外周端から垂下設した、シールリング２２の摘み片３０の外周面に内周面が接する組付片３４とから構成している。
【００３９】
傾斜防止筒片３２の内径は、吸上げパイプ１３の外径よりも僅かに大きい値となるように設定し、傾斜防止筒片３２が、シールリング２２の内筒片２３の内周面下端部まで連設した長筒状となるように形成している。
【００４０】
組付片３４の内周面下端部には、摘み片３０に下方から係合する係合突条３６を周設している。傾斜防止筒３１を、シールリング２２に嵌着すると、摘み片３０が係合突条３６を乗り越えて、係合突条３６が下方から摘み片３０に係合し、傾斜防止筒３１がシールリング２２に不動に組付く。
【００４１】
なお、長筒状の傾斜防止筒片２３をシールリング２２の内筒片２３に嵌着しやすいように、傾斜防止筒片３２の外周面下端部には、シールリング組付き用テーパ部３６を設けている。また、傾斜防止筒３１が不動に組付いたシールリング２２を吸上げパイプ１３に組付け易いように、傾斜防止筒片３２の内周面上端部には、吸上げパイプ１３組付き用テーパ部３７を設けている。
【００４２】
搬送途中の状況により、容器本体１が横倒しの状態となると、吸上げパイプ１３に弾力的に密摺接しているシール片２４のみでは、シールリング２２に緩く外嵌している内筒片２３を保持できず、シールリング２２が吸上げパイプ１３方向に傾くため、押え蓋２０全体が傾斜することになる。
【００４３】
容器本体１の傾倒状態に伴って、シールリング２２が吸上げパイプ１３方向の傾こうとすると、吸上げパイプ１３の外径よりも僅かに大きい値に設定された内径を有する長筒状の傾斜防止筒片３２が、吸上げパイプ１３の長手方向に沿って、吸上げパイプ１３の外周面に当接し、シールリング２２を支持するため、押え蓋２０全体の傾斜を防止できる。
【００４４】
また、硬質材製の長筒状の傾斜防止筒片３２が、内筒片２３の内面から軟質弾性材製のシールリング２２を保護して、変形しやすいシールリング２２の形状変形を防止し、シールリング２２に内周縁が密に組付いている蓋板２１の略水平姿勢を安定に維持する。
【００４５】
容器本体１が傾倒状態となっても、容器本体１内の押え蓋２０が傾斜しないため、粘度の高いクリーム状の内容物Aが、蓋板２１を越えて、押え蓋２０よりも容器本体１の上部に流動することはなく、吸上げパイプ１３に対する蓋板２１の略水平姿勢を安定に維持した押え蓋２０で、内容物Ａの吸い上げに伴って発生する不均一な負圧を内容物Ａの上面全域に略均一に作用させて、良好な注出動作を維持することができ、流動性の悪いクリーム状内容物Aを最後まで円滑かつ確実に、手動ポンプ１０から注出する。
【００４６】
容器本体１の内容物Aを最後まで円滑に注出すると、押え蓋２０は、吸上げパイプ１３の下降限まで下降変位し、容器本体１の底部３に密着する。容器本体１を再利用する際には、組付き筒４を胴部２の上端部から螺脱して、ヘッド部１ｂを主体部１ａから離間し、主体部１ａの底部３に密着している押え蓋２０の摘み片３０を把持して、簡単に押え蓋２０を底部３から取り外すことができる。
【００４７】
シールリング２２に嵌着した傾斜防止筒３１は、係合突条３５が摘み片３０に下方から係合し、シールリング２２に不動に組付いているため、組付片３４ごと摘み片３０を把持して、一体的に組付いた傾斜防止筒片３１とシールリング２２と蓋板２１とを、簡単に底部３から取り外すことができ、内容物Ａを再び注出容器に充填して再利用する際に、便利である。
【００４８】
図４は、本発明の第二の実施例を示し、押え蓋２０の一部縦断面図である。図４に示すように、傾斜防止筒３１の傾斜防止筒片３２を長筒状とせず、シールリング２２の内周面の少なくとも上部に接する短筒状としてもよい。
【００４９】
注出容器１の傾倒伴ってシールリング２２が吸上げパイプ１３方向に傾斜した場合に、もっとも大きな負荷のかかるシールリング２２の上部が、硬質材製の傾斜防止筒３１で安定に保護された状態となり、該傾斜防止筒３１で、シールリング２２の形状変形を防止して、吸上げパイプ１３に対する蓋板２１の略水平姿勢を安定に維持し、傾斜防止筒片３２が吸上げパイプ１３の外周面に当接して、シールリング２２を支持するため、押え蓋２０全体の傾斜が防止される。
【００５０】
図５は、傾斜防止筒３１の第三の実施例を示し、一部を破断した傾斜防止筒３１の斜視図である。図５に示すように、傾斜防止筒片３２は、傾斜防止筒片３２の下端部を部分的に、内筒片２３の内周面下端部まで連設した突条状の長片３２ａとしてもよい。
【００５１】
傾斜防止筒片３２の下端部を突条状の長片３２ａとした場合においても、突条状の長片３２ａが、内筒片２３の内周面に接して、軟質弾性材製のシールリング２２を保護するため、変形しやすいシールリング２２の形状を保持して、シールリング２２に内周縁が密に組付く蓋板２１の略水平姿勢を安定に維持し、押え蓋２０で、内容物Ａの吸い上げに伴って発生する不均一な負圧を内容物Ａの上面全域に略均一に作用させ、良好な注出動作を維持することができる。傾斜防止筒片３２の下端部を突条状の長片３２ａとすると、傾斜防止筒３１を形成する硬質材を減少することができる。
【００５２】
【発明の効果】
本発明は、上記した構成となっているので、以下に示す効果を奏する。
請求項１記載の発明にあっては、注出容器が傾倒状態となった場合であっても、シールリングの上端に嵌着した、吸上げパイプの外径よりも僅かに大きい値に設定した内径を有する傾斜防止筒が、吸上げパイプの外周面に当接し、シールリングを支持するため、押え蓋全体の傾斜を防止することができる。
【００５３】
内容物の吸い上げに伴う不均一な負圧が、押え蓋に作用した場合であっても、硬質材製の傾斜防止筒が吸上げパイプの外周面に当接して、軟質弾性材製のシールリングを支持するため、吸上げパイプに対する蓋板の略水平姿勢を安定に維持した状態で、押え蓋の傾斜を確実に防止することができ、該押え蓋で、内容物の注出に伴って発生する不均一な負圧を内容物の上面全域に略均一に作用させ、流動性の悪いクリーム状内容物を最後まで円滑かつ確実に、手動ポンプから注出することができる。
【００５４】
請求項２記載の発明にあっては、傾斜防止筒片と外鍔部と組付片とから構成された硬質材製の傾斜防止筒をシールリングの上部に嵌着したため、注出容器の傾倒に伴ってシールリングが吸上げパイプ方向に傾倒した際に、最も大きな負荷のかかるシールリングの上部を、傾斜防止筒で保護してシールリングの形状を保持するとともに、吸上げパイプの外径よりも僅かに大きい値に設定した内径を有する傾斜防止筒片が吸上げパイプの外周面に当接して、シールリングを支持するため、押え蓋全体の傾斜を確実に防止することができる。
【００５５】
請求項３記載の発明にあっては、傾斜防止筒の傾斜防止筒片を、長片状に連設したため、比較的変形しやすい軟質弾性材製のシールリングの内筒片を、硬質材製の長片状の傾斜防止筒片で保護して、シールリングの形状を安定に保持することができる。
【００５６】
請求項４記載の発明にあっては、蓋板が、弾性変位用の間隙を設けた弾性筒片に密に組付くため、弾性筒片の弾圧性により、粘度の高い内容物が蓋板を越えて、蓋板よりも上部に流動することなく、蓋板の外周縁が容器本体に近接した状態を安定に維持する。
【００５７】
請求項５記載の発明にあっては、内筒片の上端部に外鍔状の摘み片を周設したため、内容物の注出にしたがって、吸上げパイプの下降限まで下降変位し、容器本体の底部に密着した押え蓋を、摘み片を把持して、簡単に容器本体の底部から取り外すことができる。
【００５８】
請求項６記載の発明にあっては、傾斜防止筒の組付筒片の内周面下端部に、係合突条を設けたため、傾斜防止筒をシールリングに不動に組付けることができ、傾斜防止筒ごと摘み片を把持して、一体的に組付いた状態の傾斜防止筒とシールリングと蓋板とを、簡単に容器本体の底部から取り外すことができ、注出容器の再利用時に便利である。
【図面の簡単な説明】
【図１】本発明の一実施例を示す、注出容器の要部を破断した全体側面図。
【図２】本発明のシールリングと傾斜防止筒の第一の実施例を示す、縦断面図。
【図３】図２のシールリングと傾斜防止筒を示す、一部破断した斜視図。
【図４】本発明のシールリングと傾斜防止筒の第二の実施例を示す、縦断面図。
【図５】本発明の傾斜防止筒の第三の実施例を示す、一部破断した斜視図。
【符号の説明】
１    ；  注出容器
１ａ  ；  主体部
１ｂ  ；  ヘッド部
２    ；  胴部
３    ；  底部
４    ；  組付き筒
５    ；  肩部
６    ；  口部
７    ；  装着筒
１０  ；  縦型手動ポンプ
１１  ；  押下げヘッド
１２  ；  注出ノズル
１３  ；  吸上げパイプ
２０  ；  押え蓋
２１  ；  蓋板
２２  ；  シールリング
２３  ；  内筒片
２４  ；  シール片
２６  ；  フランジ
２７  ；  弾性筒片
２８  ；  底板
２９  ；  係止突条
３０  ；  摘み片
３１  ；  傾斜防止筒
３２  ；  傾斜防止筒片
３２ａ；  長片
３３  ；  外鍔部
３４  ；  組付片
３５  ；  係合突条
３６  ；  シールリング組付き用テーパ部
３７  ；  吸上げパイプ組付き用テーパ部
【図１】
0003938320.tif 000002
【図２】
0003938320.tif 000003
【図３】
0003938320.tif 000004
【図４】
0003938320.tif 000005
【図５】
0003938320.tif 000006